(57)【特許請求の範囲】
【請求項１】
スピーカから発せられる音の指向性を調整する音響レンズであって、
所定の間隔で配置された複数のフィンを備え、
少なくとも、前記複数のフィンのうちの１つである第１のフィンは、
前記音の行路の前方側に設けられる第１の切り欠き部と、
前記音の前記行路の後方側に設けられた第２の切り欠き部と、を備え、
前記第２の切り欠き部は凹部を含み、
前記凹部の窪む方向は、前記第１のフィンの近傍に配置される前記スピーカの振動板の、外径を構成する曲面の一部であって、前記凹部と対向する位置の前記一部が突出する方向に対応する、音響レンズ。
【請求項２】
前記複数のフィンは、前記複数のフィンの長手方向に直交する方向に平行に配置され、
前記複数のフィンのそれぞれの形状は、前記長手方向において非対称である、請求項１記載の音響レンズ。
【請求項３】
音を出力するスピーカと、
前記スピーカから発せられる前記音の行路上に配置され、前記スピーカから発せられる前記音の指向性を調整する音響レンズと、
前記音響レンズを介して前記スピーカと対向する位置に配置され、複数の羽板が取り付けられたルーバーと、を備え、
前記音響レンズは、所定の間隔で配置された複数のフィンを含み、
前記複数のフィンは、前記複数のフィンの長手方向に直交する方向に平行に配置され、
前記複数のフィンのそれぞれの、前記音の前記行路の前方側には、切り欠き部が形成され、
前記複数のフィンのそれぞれの形状は、前記長手方向において非対称であり、
前記複数の羽板は、前記複数の羽板の厚み方向に所定の間隔で配置され、
前記複数の羽板間の前記間隔と、前記複数のフィン間の前記間隔とが等しい、スピーカシステム。
【請求項４】
前記複数の羽板のそれぞれの、前記音の前記行路の前方側には、切り欠き部が設けられた、請求項３記載のスピーカシステム。
【請求項５】
前記複数の羽板の傾斜角度と、前記複数のフィンの傾斜角度とが等しい、請求項４記載のスピーカシステム。
【請求項６】
前記複数の羽板のそれぞれの厚さが、前記複数の羽板のそれぞれの長手方向の位置に応じて異なる、請求項３記載のスピーカシステム。
【発明の詳細な説明】
【技術分野】
【０００１】
本開示は、音の指向性を調整する音響レンズ、および音響レンズを備えたスピーカシステムに関する。
【背景技術】
【０００２】
振動板を出た音波は、立体障害によって伝搬距離が変化する。立体障害によって伝搬距離が変化した音波と、振動板から直接放射される音波との間で、空間放射される時間に差異が生じる。このため、両者の間で見かけの音速が変わり、結果として、音波は、行路の長い方向に屈折する。この現象を利用した装置であり、音波の伝搬方向を拡散させるための装置として、音響レンズがある（例えば、特許文献１参照）。
【０００３】
このような音響レンズを、直進性の強いツイータの前面に配置することで、音場が左右に広がり、聴取エリアを拡大できる。
【先行技術文献】
【特許文献】
【０００４】
【特許文献１】特開平０８−３３１６８４号公報
【発明の概要】
【０００５】
本開示は、スピーカの指向性を調整する音響レンズを提供する。また、本開示は、音響レンズを備えたスピーカシステムを提供する。
【０００６】
本開示の第１の態様において、スピーカから発せられる音の指向性を調整する第１の音響レンズが提供される。前記第１の音響レンズは、所定の間隔で配置された複数のフィンを備える。少なくとも、前記複数のフィンのうちの１つである第１のフィンは、前記音の行路の前方側に設けられる第１の切り欠き部と、前記音の前記行路の後方側に設けられた第２の切り欠き部と、を備える。前記第２の切り欠き部は凹部を含む。前記凹部の窪む方向は、前記第１のフィンの近傍に配置される前記スピーカの振動板の、外径を構成する曲面の一部であって、前記凹部と対向する位置の前記一部が突出する方向に対応する。
【０００７】
本開示の第２の態様において、音を出力するスピーカと、前記スピーカから発せられる前記音の行路上に配置され、前記スピーカから発せられる前記音の指向性を調整する音響レンズと、前記音響レンズを介して前記スピーカと対向する位置に配置され、複数の羽板が取り付けられたルーバーと、を備える。
【０００８】
前記音響レンズは、所定の間隔で配置された複数のフィンを含む。前記複数のフィンは、前記複数のフィンの長手方向に直交する方向に平行に配置される。前記複数のフィンのそれぞれの、前記音の前記行路の前方側には、切り欠き部が形成される。前記複数のフィンのそれぞれの形状は、前記長手方向において非対称である。前記複数の羽板は、前記複数の羽板の厚み方向に所定の間隔で配置される。前記複数の羽板間の前記間隔と、前記複数のフィン間の前記間隔とが等しい。
【０００９】
本開示は、聴取エリアを拡張する音響レンズ、及びそのような音響レンズを備えたスピーカシステムを提供する。
【図面の簡単な説明】
【００１０】
【図１】図１は、本開示の一実施の形態の音響レンズを備えたスピーカシステムの斜視図である。
【図２】図２は、スピーカシステムの正面図である。
【図３】図３は、スピーカネットを取り外した状態のスピーカシステムの正面図である。
【図４】図４は、ルーバー及びスピーカネットを取り外した状態のスピーカシステムの正面図である。
【図５】図５は、（Ａ）スピーカシステムにおけるミッドレンジスピーカ及び音響レンズが取り付けられたツイータの部分を拡大した図と、（Ｂ）スピーカシステムにおけるミッドレンジスピーカ及び音響レンズが取り付けられていないツイータの部分を拡大した図とを示す図である。
【図６】図６は、（Ａ）音響レンズの正面図と、（Ｂ）音響レンズの左側面図と、（Ｃ）音響レンズの右側面図と、（Ｄ）音響レンズの上面図と、（Ｅ）音響レンズの底面図と、を示す図である。
【図７】図７は、（Ａ）音響レンズの前方から見た斜視図と、（Ｂ）音響レンズの後方から見た斜視図とを示す図である。
【図８】図８は、（Ａ）音響レンズの第２フィンの断面図と、（Ｂ）音響レンズの第３フィンの断面図と、（Ｃ）音響レンズの右側面図と、の関係を示す図である。
【図９】図９は、スピーカシステムのツイータ部分の断面図（図４のＦ−Ｆ線断面）である。
【図１０】図１０は、スピーカシステムのツイータ部分の断面図（図４のＧ−Ｇ線断面）である。
【図１１】図１１は、音響レンズを実装していない場合のツイータの音響特性を示す図である。
【図１２】図１２は、音響レンズを実装している場合のツイータの音響特性を示す図である。
【図１３】図１３は、正面から３０°の位置におけるツイータの音響特性を示す図である。
【図１４】図１４は、正面から６０°の位置におけるツイータの音響特性を示す図である。
【図１５】図１５は、ルーバーと音響レンズとの関係を説明した図である。
【図１６】図１６は、ルーバーの別の構成例を示す図である。
【図１７】図１７は、ルーバーのさらに別の構成例を示す図である。
【図１８】図１８は、ルーバーのさらに別の構成例を示す図である。
【発明を実施するための形態】
【００１１】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１２】
なお、発明者らは、当業者が本開示を十分に理解するために添付図面および以下の説明を提供するのであって、これらによって請求の範囲に記載の主題を限定することを意図するものではない。
【００１３】
以下、添付の図面を参照しながら本開示のスピーカシステムの具体的な実施の形態について説明する。
【００１４】
（実施の形態１）
１−１．スピーカシステム全体構成
図１は、本開示の一実施の形態の音響レンズを備えたスピーカシステムの斜視図である。スピーカシステム１００は、有線または無線により音声信号を入力し、音声信号に基づいた音を出力する。本実施の形態のスピーカシステム１００は、横幅が４０ｃｍ程度の小型のスピーカである。なお、横幅とは、長手方向の長さとする。また、本実施の形態の音響レンズの長手方向は、水平方向に平行である。このため、音響レンズは、水平方向（つまり、スピーカの長手方向）の音の広がりが要求される。
【００１５】
図２は、スピーカシステム１００の正面図である。スピーカシステム１００は、前面にルーバー８０を備えている。ルーバー８０は、複数の羽板８１を含む。複数の羽板８１は、所定の間隔で平行に配置されている。複数の羽板８１は、それぞれ平板状である。スピーカシステム１００からの音は、羽板８１と羽板８１の間の空間から外部に出力される。
【００１６】
スピーカシステム１００は、ルーバー８０の内側に取り付けられたスピーカネットを含む。スピーカネットは、スピーカユニットに対する目隠し、ホコリよけ、又は防護などの目的で取り付けられる。図３は、スピーカネットを取り外した状態のスピーカシステム１００の正面図である。スピーカネットは、スピーカから発せられる一次音に支障の無いように設置される。スピーカネットは、一般的には通気度の高い布で構成される。
【００１７】
図４は、図３に示す状態からさらにルーバー８０を取り外したときの、スピーカシステム１００の正面図である。スピーカシステム１００の前面側（すなわち正面側）であって、紙面上の左側には、高域の音を出力するＬｃｈツイータ３０Ｌと、中域の音を出力するＬｃｈミッドレンジスピーカ５０Ｌとが配置される。また、スピーカシステム１００の前面側（すなわち正面側）であって、紙面上の右側には、高域の音を出力するＲｃｈツイータ３０Ｒと、中域の音を出力するＲｃｈミッドレンジスピーカ５０Ｒとが配置される。ツイータ３０Ｌ、３０Ｒは、ミッドレンジスピーカ５０Ｌ、５０Ｒの外側（スピーカシステム１００の端部に近い側）に配置される。
【００１８】
さらに、スピーカシステム１００の底面側には、低域の音を出力するウーファ７０が配置される。ウーファ７０は下向きに配置されている。このようにスピーカシステム１００は、高域、中域、低域の、それぞれの音域を担当するスピーカを備えた、３ｗａｙスピーカシステムである。
【００１９】
図３、４に示すように、ツイータ３０Ｌ、３０Ｒには、それぞれ音響レンズ４０Ｌ、４０Ｒが実装されている。音響レンズ４０Ｌ、４０Ｒは、ツイータ３０Ｌ、３０Ｒから出力された音の聴取範囲を、スピーカシステム１００の水平方向（つまり、長手方向）に拡張するための装置である。
【００２０】
図５の（Ａ）は、スピーカシステム１００における、Ｒｃｈミッドレンジスピーカ５０Ｒ及び音響レンズ４０Ｒが取り付けられたＲｃｈツイータ３０Ｒの部分を拡大して示した図である。図５の（Ｂ）は、図５の（Ａ）の状態から音響レンズ４０Ｒが取り外され、Ｒｃｈツイータ３０Ｒのドーム状の振動板３２が露出している状態を示した図である。Ｒｃｈツイータ３０Ｒの振動板３２の振動により生成された音波は、音響レンズ４０Ｒにより行路が変更されて、スピーカシステム１００の外部に伝搬する。以下、音響レンズ４０Ｌ、４０Ｒについてその詳細を説明する。
【００２１】
１−２．音響レンズ
前述のように、本実施の形態のスピーカシステム１００は小型の装置であり、音の広がりが求められる。本実施の形態では、ツイータ３０Ｌ、３０Ｒに対して音響レンズ４０Ｌ、４０Ｒを取り付けることで、高域の音の水平方向の広がり（拡散）を実現している。音響レンズは、音の伝搬範囲を拡大するための公知の技術である。ここで、音の伝搬範囲をより拡大するためには、行路の距離の差を大きくすればよい。しかし、この場合、音響レンズが大型化してしまう。本実施の形態のスピーカシステムは小型であり、大型の音響レンズを実装することは難しい。これに対し、本実施の形態の音響レンズ４０Ｌ、４０Ｒは、小型であっても、音の伝搬範囲をより拡大できる構成を有している。以下、そのような音響レンズ４０Ｌ、４０Ｒの構成を説明する。なお、Ｌｃｈ用の音響レンズ４０ＬとＲｃｈ用の音響レンズ４０Ｒとは左右対称の構成を有するので、説明の便宜上、以下では、Ｒｃｈ用の音響レンズ４０Ｒについてのみ構成を説明する。
【００２２】
図６の（Ａ）〜（Ｅ）は音響レンズ４０Ｒの構成を示した図である。図６の（Ａ）は、音響レンズ４０Ｒの正面図である。図６の（Ｂ）は、音響レンズ４０Ｒの左側面図である。図６の（Ｃ）は、音響レンズ４０Ｒの右側面図である。図６の（Ｄ）は、音響レンズ４０Ｒの上面図である。図６の（Ｅ）は、音響レンズの底面図である。
【００２３】
図６の（Ａ）に示すように、音響レンズ４０Ｒは、開口４１を有するフレーム４２と、開口４１内に取り付けられた複数のフィン（フィン４４ａ〜４４ｄ）とを備える。フィン４４ａ〜フィン４４ｄの形状は、それぞれ平板状である。フレーム４２には、四隅にネジ穴４３が設けられている。フレーム４２は、これらのネジ穴４３を介して、スピーカシステムの筐体にネジ留めされて、取り付けられる。
【００２４】
図６の（Ｂ）、（Ｃ）に示すように、４つのフィン（フィン４４ａ〜フィン４４ｄ）は、垂直方向に所定の間隔で平行に配置されている。フィン４４ａ〜４４ｄは、それぞれフレーム４２に対して傾斜して取り付けられている。フィン４４ａ〜４４ｄは、それぞれ異なる形状を有する。以下、フィン４４ａ〜４４ｄのそれぞれの形状について説明する。
【００２５】
図７の（Ａ）は、音響レンズ４０Ｒの前方側（つまり、音の出口側）から見た斜視図である。図７の（Ｂ）は、音響レンズ４０Ｒの後方側（つまり、音の入口側）から見た斜視図である。図８の（Ａ）は、音響レンズ４０Ｒの上から２番目のフィン４４ｂについての、図８の（Ｃ）に示すＡ−Ａ線での断面図である。図８の（Ｂ）は、音響レンズ４０Ｒの上から３番目のフィン４４ｃについての、図８の（Ｃ）に示すＢ−Ｂ線での断面図である。
【００２６】
フィン４４ａ〜４４ｄの前方側には、それぞれ三角形状の切り欠き部４５が設けられている。この切り欠き部４５によって、音波が伝搬する行路の長さを異ならせることができる。したがって、レンズ効果が生じ、音波の伝搬方向を屈折させることができる。このような、音波の伝搬方向を屈折させる効果を、音響レンズ効果という。
【００２７】
（偏心フィン）
本実施の形態では、フィン４４ａ〜４４ｂの形状は、それぞれ左右非対称である。これは、フィン４４ａ〜４４ｄの長手方向において、均等に音を拡散させるのではなく、一方の端の方向へ音をより拡散させるようにするためである。
【００２８】
例えば、図８の（Ａ）において、線Ｐ０は、音響レンズ４０Ｒが実装されるツイータ３０Ｒの振動板３２の水平方向の中心を通る線である。また、線Ｐ０は、フィン４４ｂの長手方向に垂直な線である。フィン４４ｂは、この中心線Ｐ０に対して対称な形状を有していない。つまりフィン４４ｂの形状は、長手方向において、非対称である。具体的には、図８の紙面上において、中心線Ｐ０よりもの左側の部分の面積が、右側の部分の面積よりも大きくなっている。このようなフィン４４ｂの非対称の形状により、ツイータ３０Ｒから出力され、フィン４４ｂの左側部分を通過した音は、フィン４４ｂの右側部分を通過した音よりもより大きく行路が変更され、音響レンズの屈折効果を強く受ける。これにより、Ｒｃｈツイータ３０Ｒからの音は、スピーカシステム１００に対し、相対的に内側（正面から見て左側）より外側（同右側）に大きな角度で拡散するように出力される。
【００２９】
以上のように、ツイータ３０Ｒからの音が、スピーカシステム１００の水平方向のより外側に（スピーカシステム１００の正面から見てより右方向に）拡散するように、フィン４４ａ〜４４ｄの前方の切り欠き部４５の形状が設定されている。Ｌｃｈについても同様であり、音響レンズ４０ＬによりＬｃｈツイータ３０Ｌからの音は、スピーカシステム１００の左側に向けて拡散されて出力される。その結果、スピーカシステム１００の水平方向の聴取エリアを拡大することができる。
【００３０】
（ドーム状の切り欠き部）
さらに、音響レンズ４０Ｒにおける一部のフィン４４ｂ、４４ｃには、図８の（Ａ）、（Ｂ）に示すように、その後方部においても切り欠き部４６ｂ、４６ｃが設けられている。この切り欠き部４６ｂ、４６ｃの形状は、ツイータ３０Ｒのドーム状の振動板３２の形状に応じた形状である。すなわち、振動板３２の外径を構成する曲面、及び傾斜面の少なくとも一方に即した形状である。なお、「振動板３２の形状に応じた形状」とは、振動板３２が曲面を有する場合に、切り欠き部４６ｂ、４６ｃの形状は、振動板３２の曲面の曲率と完全に同一の曲率を有する形状である必要はない。少なくとも、曲面が突出する方向に凹部を有する形状であればよい。また、振動板３２が傾斜面を有する場合に、切り欠き部４６ｂ、４６ｃの形状は、傾斜面の傾斜角度と完全に同一の傾斜角度を有する形状である必要はない。少なくとも、傾斜する方向が合っていればよい。
【００３１】
図９は、スピーカシステム１００のツイータ３０Ｒ部分を、水平方向に切断したときの断面図である（図４のＦ−Ｆ線断面図）。図１０は、スピーカシステム１００のツイータ３０Ｒ部分を、垂直方向に切断したときの断面図（図４のＧ−Ｇ線断面）である。図９に示すように、ツイータの振動板３２は、上から３番目のフィン４４ｃの後方の切り欠き部４６ｃに嵌るように配置されている。また、図１０に示すように、振動板３２は、上から２番目のフィン４４ｂの後方の切り欠き部４６ｂおよび上から３番目のフィン４４ｃの後方の切り欠き部４６ｃに嵌るように、配置される。フィン４４ｂ、４４ｃとツイータ３０Ｒとは、ツイータ３０Ｒの振動板３２が振動したときに、フィン４４ｂ、４４ｃと振動板３２とが接触しないように、例えば１ｍｍ程度の隙間をあけて配置される。このように、フィン４４ｂ、４４ｃの後方の切り欠き部４６ｂ、４６ｃによって、ツイータ３０Ｒのドーム状の振動板３２の近傍まで、フィン４４ｂ、４４ｃを配置することが可能になる。
【００３２】
一般に制御開始の周波数は、音の行路を形成するフィンの長さに反比例する。よって、フィンの長さが短いと、低い周波数の音は制御できないという問題がある。本実施の形態は、フィン４４ｂ、４４ｃを、ツイータ３０Ｒの振動板３２の近傍まで延長することが可能になる。その結果、フィン４４ｂ、４４ｃにより形成される行路をより長く確保することが可能になる。これにより、制御可能な周波数をより低域（本例では、１１ＫＨｚ）までシフトすることができる。すなわち、装置の小型化により、フィンのスペースを十分にとれない場合であっても、制御可能な周波数範囲を拡大できるため、設計の自由度を増すことができる。
【００３３】
以上のように構成される音響レンズ４０Ｒ、４０Ｌの音響特性の測定結果を以下に示す。
【００３４】
図１１は、スピーカに音響レンズを実装せずに測定した場合の、音響特性を示した図である。図１２は、スピーカに音響レンズを実装した状態で測定した場合の、音響特性を示した図である。図１１および図１２において、実線は、スピーカの正面位置（０°位置）で測定した結果を示す。破線は、スピーカの正面から水平方向かつ外方へ３０°ずれた位置で測定した結果を示す。一点鎖線は、スピーカの正面から水平方向かつ外方へ６０°ずれた位置で測定した結果を示す。
【００３５】
音響レンズを実装していない場合（図１１参照）、高域（特に１１ｋＨｚ以上）の周波数範囲において、３０°位置での音圧は、正面位置（０°）での音圧よりも減衰していることが分かる。また、６０°位置では、３０°位置での減衰よりもさらに大きな減衰が見られる。
【００３６】
これに対して、本実施の形態の音響レンズを実装した場合（図１２参照）、高域の周波数範囲において、３０°位置及び６０°位置での減衰量は、音響レンズを実装していない場合（図１１参照）よりも低減していることが理解できる。
【００３７】
図１３は、スピーカの正面から３０°ずれた位置で測定した音響特性を示した図である。図１３において、破線は、スピーカに音響レンズを装着した状態で、スピーカ正面から３０°ずれた位置で測定した結果を示す。一点鎖線は、スピーカに音響レンズを装着しない状態で、スピーカ正面から３０°ずれた位置で測定した結果を示す。実線は、比較のためのデータであり、スピーカ正面（すなわち、０°位置）で測定した結果を示す。
【００３８】
図１３を参照すると、正面（０°）から３０°ずれた位置での音圧は、音響レンズの実装の有無に関わらず、正面（０°）での音圧よりも減衰していることが見られる。しかし、音響レンズを装着した場合の方が、音響レンズを装着しない場合よりも、その減衰量が低減していることが理解できる。
【００３９】
図１４は、スピーカの正面から６０°ずれた位置で測定した音響特性を示した図である。図１４において、破線は、スピーカに音響レンズを装着した状態で、スピーカ正面から６０°ずれた位置で測定した結果を示す。一点鎖線は、スピーカに音響レンズを装着しない状態で、スピーカ正面から６０°ずれた位置で測定した結果を示す。実線は、比較のためのデータであり、スピーカ正面（すなわち、０°位置）で測定した結果を示す。
【００４０】
図１４を参照すると、正面（０°）から６０°ずれた位置での音圧は、音響レンズの実装の有無に関わらず、正面（０°）での音圧よりも減衰していることが見られる。しかし、音響レンズを装着した場合の方が、音響レンズを装着しない場合よりも、その減衰量が低減していることが理解できる。
【００４１】
以上、図１１〜図１４から分かるように、本実施の形態の音響レンズによって、高域（例えば、１１ｋＨｚ以上）において、スピーカ正面からずれた位置であっても、高い音圧レベルが実現される。すなわち、本実施の形態の音響レンズは、スピーカからの音の伝搬範囲を水平方向に拡張することができる。
【００４２】
１−３．ルーバー
以下、スピーカシステム１００の前面に取り付けられるルーバー８０について説明する。図１５は、音響レンズ４０Ｒのフィン４４ａ〜４４ｄと、ルーバー８０の羽板８１ａ〜８１ｂとの関係を示した図である。同図に示すように、音響レンズ４０Ｒ、４０Ｌのフィン４４ａ〜４４ｄ間の間隔ｄ１と、ルーバー８０の羽板８１ａ〜８１ｂ間の間隔ｄ２とは等しくなるように設定されている。これにより、羽板８１ａ〜８１ｂと音響レンズのフィン４４ａ〜４４ｄとの間に生じる反射が生じ難くなる。また、音道のサイズが変化することによる音響ロスが生じ難くなる。従って、音響レンズ４０Ｒから出力された音は、ルーバーの羽板８１ａ〜８１ｄ間の空間から、スピーカシステム１００の外部へスムーズに出力される。すなわち、ルーバー８０による音響特性への影響を低減でき、スムーズな音の再生が実現される。
【００４３】
図１６は、ルーバー８０の別の構成例を示した図である。図１６は、ツイータ３０Ｒに対して配置されるルーバー８０の部分のみを示している。図１６の（Ａ）は、別の構成のルーバー８０を正面から見た図である。図１６の（Ｂ）は、別の構成のルーバー８０を右側面（つまり、スピーカシステムを正面から見たときの、右側面）から見た図である。
【００４４】
図１６の（Ａ）に示すように、ルーバー８０の羽板８１ａ〜８１ｄにおけるツイータ３０Ｒに対向する部分において、切り欠き部８５が形成されている。また、図１６の（Ｂ）に示すように、羽板８１ａ〜８１ｂの角度は、音響レンズ４０Ｒのフィン４４ａ〜４４ｄの角度と同じ角度に設定されている。このようにルーバー８０を構成することで、羽板８１ａ〜８１ｄを通過する音の行路の長さを異ならせることができ、ルーバー８０も音響レンズとして機能させることができる。すなわち、このような構成を有するルーバー８０は、音響レンズ４０Ｒと一体として、音響レンズの機能を実現することができ、音の伝搬範囲をより拡大することができる。
【００４５】
なお、ルーバー８０を音響レンズとして機能させる方法として、切り欠き部を設けて行路の長さを異ならせる代わりに、または、それに加えて、ルーバー８０の羽板の厚さを、場所によって異ならせるようにしても良い。つまり、音響抵抗を大きくしたい領域（例えば、スピーカシステムの水平方向における外側）の厚みを大きくすればよい。羽板は音の伝搬において音響抵抗となり得ることから、厚みを変更することで、その抵抗の度合いが変化する。したがって、羽板を通過させるときに、厚みによって音速を変化させることができる。例えば、図１７に示すように、ルーバー８０の羽板８１の厚みを、羽板８１の長手方向（つまり、水平方向）の位置に応じて異ならせてもよい。
【００４６】
また、図１８に示すように、羽板８２の片面に、不織布などの音響抵抗を生じる素材８３を貼付けてもよい。または、羽板８２の両面に、素材８３を貼付けてもよい。つまり、音響抵抗を大きくしたい領域（例えば、スピーカシステムの水平方向における外側）に、素材８３を貼り付ければよい。以上より、所望の音響抵抗に応じて、羽板８１の厚み、もしくは素材８３の形状又は貼付け位置が設定されればよい。
【００４７】
１−４．効果、等
以上のように、本実施の形態の音響レンズ４０Ｌ、４０Ｒは、ツイータ３０Ｌ、３０Ｒ（スピーカの一例）から発せられる音の指向性を調整する音響レンズである。音響レンズ４０Ｌ、４０Ｒは、所定の間隔で配置された複数のフィン４４ａ〜４４ｄを備える。複数のフィン４４ａ〜４４ｄの中の少なくとも１つのフィン（フィン４４ｂ、及びフィン４４ｃ）は、音の行路の前方側に設けられる切り欠き部４５（第１の切り欠き部の一例）と、音の行路の後方側において、当該フィンの近傍に配置されるスピーカの振動板の形状に応じて形成された切り欠き部４６ｂ、４６ｃ（第２の切り欠き部の一例）と、を備える。
【００４８】
フィン４４ｂ、４４ｃの後方側に切り欠き部４６ｂ、４６ｃが設けられることにより、フィン４４ｂ、４４ｃをスピーカの振動板３２に、より近づけることが可能になる。よって、設置箇所のスペースが少ない場合であっても、フィンはスピーカの振動板の近傍まで延長されることができ、フィンによる行路を長くすることが可能となる。これにより、設置箇所のスペースが少ない場合であっても、制御できる周波数が、より低域までシフトされる。
【００４９】
フィン４４ａ〜４４ｄは、フィンの長手方向に直交する方向に平行に配置される。フィン４４ａ〜４４ｄの形状は、その長手方向において非対称である。つまり、フィン４４ａ〜４４ｄ、偏心フィンである。これにより、スピーカの左右方向において、互いに異なるレンズ効果が与えられる。よって、スピーカシステム１００の水平方向において、より外側に向けて聴取エリアを拡大することができる。
【００５０】
後方側の切り欠き部４６ｂ、４６ｃは、フィンの後方に配置されるツイータの振動板３２の外径を構成する曲面、及び振動板３２の傾斜面の、少なくともいずれか一方に即して形成される（図９、図１０参照）。これにより、フィンはスピーカの振動板の近傍まで延長されることが可能となる。その結果、レンズ効果を与えるための行路を長くすることができ、制御できる周波数が、より低域までシフトされる。
【００５１】
また、本実施の形態は、スピーカから発せられる音の指向性を調整する音響レンズであって、所定の間隔で配置された複数のフィン４４ａ〜４４ｄを備えた音響レンズを開示する。複数のフィンは、フィンの長手方向に直交する方向に平行に配置される。フィン４４ａ〜４４ｄは、音の行路の前方側に切り欠き部４５が形成される。各フィン４４ａ〜４４ｄの形状は、フィンの長手方向において非対称である。これにより、フィンの長手方向における一方の端側に、より音を拡散させることがきる。
【００５２】
また、本実施の形態のスピーカシステム１００（スピーカ装置の一例）は、音を出力するツイータ３０Ｌ、３０Ｒ（スピーカの一例）と、ツイータから発せられる音の行路上に配置される音響レンズ４０Ｌ、４０Ｒとを備える。
【００５３】
スピーカシステム１００は、羽板８１ａ〜８１ｄが取り付けられたルーバー８０をさらに備える。羽板８１ａ〜８１ｄは羽板の厚み方向に所定の間隔で配置される。羽板８１ａ〜８１ｄ間の間隔と、音響レンズのフィン４４ａ〜４４ｄ間の間隔とは等しい。これにより、スピーカシステム１００からの音がスムーズにスピーカシステム１００の外部に伝搬される。
【００５４】
羽板８１ａ〜８１ｄの、音の行路の前方側部分には、切り欠き部８５が設けられてもよい。これにより、ルーバー８０は、音響レンズ４０Ｌ、４０Ｒと一体となって音響レンズとして機能することができる。
【００５５】
ルーバー８０における羽板８１ａ〜８１ｄの傾斜角度とフィン４４ａ〜４４ｄの傾斜角度とが等しくてもよい。これにより、ルーバー８０は、音響レンズ４０Ｌ、４０Ｒと一体となって音響レンズとして機能することができる。
【００５６】
ルーバー８０における羽板の厚さは、羽板８１ａ〜８１ｄの長手方向の位置に応じて異なっていてもよい（図１７参照）。これにより、ルーバー８０は、音響レンズ４０Ｌ、４０Ｒと一体となって音響レンズとして機能することができる。
【００５７】
音響レンズ４０Ｌ、４０Ｒは、ツイータ３０Ｌ、３０Ｒに対して設けられる。指向性の強い高域の音を出力するツイータ３０Ｌ、３０Ｒに音響レンズを適用することで、高域の指向性を改善することができる。
【００５８】
（他の実施の形態）
以上のように、本出願において開示する技術の例示として、実施の形態１を説明した。しかしながら、本開示における技術は、これに限定されず、適宜、変更、置き換え、付加、または省略などを行った実施の形態にも適用可能である。また、上記実施の形態１で説明した各構成要素を組み合わせて、新たな実施の形態とすることも可能である。そこで、以下、他の実施の形態を例示する。
【００５９】
実施の形態１では、音響レンズ４０Ｌ、４０Ｒにおけるフィン４１ａ〜４１ｄの数を４枚としたが、フィンの数はこれに限定されない。音響レンズは、任意の数のフィンを備えて良い。
【００６０】
上記の実施の形態では、上から２番目と３番目のフィン４１ｂ、４１ｃにおいてのみ、後方側に切り欠き部４６ｂ、４６ｃを設けていた。しかし、後方側に切り欠き部を設けるフィンは、これらの位置のフィンに限定されるものではない。後方側に切り欠き部を設けるか否かは、フィンとスピーカの振動板との位置関係に基づき決定すればよい。
【００６１】
音響レンズに設けた切り欠き部の形状は、実施の形態１で開示したものに限定されるものではない。音の行路の長さ（すなわち、音速）を変化させる形状であれば、任意の形状（例えば、矩形、円弧）が採用される。
【００６２】
本実施の形態のスピーカシステム１００は、音域の異なる３種類のスピーカを備えた３Ｗａｙシステムのスピーカであるが、本実施の形態の音響レンズは、それに限定されるものではない。本実施の形態の音響レンズは、２ｗａｙシステムのスピーカシステムに対しても適用される。
【００６３】
以上のように、本開示における技術の例示として、実施の形態を説明した。そのために、添付図面および詳細な説明を提供した。
【００６４】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面又は詳細な説明に記載されていることをもって、直ちに、それらの必須ではない構成要素が必須であるとの認定をするべきではない。
【００６５】
また、上述の実施の形態は、本開示における技術を例示するためのものであるから、請求の範囲またはその均等の範囲において種々の変更、置き換え、付加、省略などを行うことができる。
【産業上の利用可能性】
【００６６】
本開示は、音の指向性を調整する音響レンズ及び音を出力するスピーカ装置に有用である。例えば、本開示は、左右のチャンネルのスピーカ間の間隔が確保できない小型のスピーカ装置に有用である。
【符号の説明】
【００６７】
３０Ｌ，３０Ｒ    ツイータ
４０Ｌ，４０Ｒ    音響レンズ
４１    開口
４２    フレーム
４３    ネジ穴
４４ａ〜４４ｄ    フィン
４５    切り欠き部
４６ｂ，４６ｃ    切り欠き部
５０Ｌ，５０Ｒ    ミッドレンジスピーカ
７０    ウーファ
８０    ルーバー
８１，８１ａ〜８１ｄ，８２    羽板
８３    素材
１００    スピーカシステム
【図１】
0006675063.tif 000002
【図２】
0006675063.tif 000003
【図３】
0006675063.tif 000004
【図４】
0006675063.tif 000005
【図５】
0006675063.tif 000006
【図６】
0006675063.tif 000007
【図７】
0006675063.tif 000008
【図８】
0006675063.tif 000009
【図９】
0006675063.tif 000010
【図１０】
0006675063.tif 000011
【図１１】
0006675063.tif 000012
【図１２】
0006675063.tif 000013
【図１３】
0006675063.tif 000014
【図１４】
0006675063.tif 000015
【図１５】
0006675063.tif 000016
【図１６】
0006675063.tif 000017
【図１７】
0006675063.tif 000018
【図１８】
0006675063.tif 000019